(57)【特許請求の範囲】
【請求項１】
貯蔵室を有する冷蔵庫本体と、
前記貯蔵室に配置されて光を照射する光源と、
前記貯蔵室内の環境を変化させる庫内環境変更手段と、
店頭に前記冷蔵庫本体が置かれた状態で動作する店頭展示モードの際に、前記庫内環境変更手段が前記貯蔵室内の環境を変化させる動作をしているときに、模擬で前記光源の前記光の発光色、または点灯パターンを切り替える制御部と、を備え、
前記庫内環境変更手段は、冷気を送るファンであり、前記貯蔵室内を急速チルドするために前記ファンが高回転している際に、前記制御部により前記光源の前記光の発光色、または点灯パターンが切り替えられる冷蔵庫。
【請求項２】
前記光源は複数の発光素子を有し、複数の前記発光素子は、前記制御部により前記貯蔵室内の環境を変化させる動作に応じて、異なるタイミングで点灯される請求項１に記載の冷蔵庫。
【請求項３】
前記光源は青色照明を有し、前記貯蔵室内を急速チルドする際に前記制御部により前記ファンを高回転で駆動する動作と前記ファンの回転を停止する動作が行われ、前記ファンが高回転で駆動している場合には、前記制御部により前記青色照明が点滅され、前記ファンの回転が停止している場合には、前記制御部により前記青色照明が点灯される請求項１または２に記載の冷蔵庫。
【請求項４】
前記光源は、複数の発光色を有し、使用者が前記制御部に対して、前記光源の発光色を指定可能な指定部を有する請求項２乃至３のいずれかに記載の冷蔵庫。
【請求項５】
前記光源の発光色を切り替える必要性があるかどうかを、使用者が前記制御部に対して、指定可能な切替有無指定部を有する請求項４に記載の冷蔵庫。
【請求項６】
前記店頭に前記冷蔵庫本体が置かれた状態で動作する前記店頭展示モードの際には、前記光源は、前記貯蔵室内を照明し、前記光源の発光色、または点灯パターンが、前記制御部により切り替えられる請求項１乃至５のいずれかに記載の冷蔵庫。
【発明の詳細な説明】
【技術分野】
【０００１】
本発明の実施の形態は、冷蔵庫に関する。
【背景技術】
【０００２】
従来の冷蔵庫は、特許文献１に開示されているように、除菌脱臭装置は脱臭フィルタと、この脱臭フィルタの光触媒を励起する光源体を有し、除菌脱臭装置の光源体は、冷蔵庫内の収納量が少ない時には消灯状態を保持する弱モードとし、冷蔵庫内の収納量が多い時には強モードとすることで、光源体の点灯時間を低減している。
【先行技術文献】
【特許文献】
【０００３】
【特許文献１】特開２０１５−５５４４０号
【発明の概要】
【発明が解決しようとする課題】
【０００４】
しかし、従来の冷蔵庫では、使用者が、庫内における除菌と脱臭をする際の除菌脱臭機能の動作や効果を、視覚的に認識することができない。
【０００５】
本発明は、上記に鑑みてなされたもので、その目的とするところは、使用者が、除菌脱臭機能のような庫内環境が変更される動作を、視覚的に認識することができる冷蔵庫を提供することにある。
【課題を解決するための手段】
【０００６】
本発明の実施の形態の冷蔵庫は、貯蔵室を有する本体と、前記貯蔵室内に配置されて光を照射する光源と、前記貯蔵室内の環境を変化させる庫内環境変更手段と、店頭に前記冷蔵庫が置かれた状態で動作する店頭展示モードの際には、前記庫内環境変更手段が前記貯蔵室内の環境を変化させる動作しているときに、模擬で前記光源の前記光の色調、または点灯パターンを切り替える制御部と、を備える。
【図面の簡単な説明】
【０００７】
【図１】本発明の実施形態に係わる冷蔵庫の全体を示す正面図である。
【図２】図１に示す冷蔵室の左側の扉と右側の扉を開けた状態を示す正面図である。
【図３】図２に示す冷蔵室の貯蔵室と、その周辺部分を示す一部切り欠き部分を有する冷蔵庫の側面図である。
【図４】貯蔵室に配置された光源の好ましい構造例を示す図である。
【図５】図１に示す冷蔵庫のＮ−Ｎ線における水平断面図である。
【図６】図１に示す冷蔵庫の制御部と、この制御部に接続された電気的な構成要素の接続例を示しているブロック図である。
【図７】店頭に冷蔵庫が展示で置かれた状態で、販売促進のために、使用者（店頭展示担当者）が、顧客に対する冷蔵庫の特徴をアピールする際に店頭展示モードで動作させる例を示すフロー図である。
【発明を実施するための形態】
【０００８】
以下、図面を用いて、本発明の実施するための形態（以下、実施形態と称する）を説明する。
【０００９】
図１は、本発明の実施形態に係わる冷蔵庫の全体を示す正面図である。図２は、図１に示す冷蔵庫１の冷蔵室２の左側の扉７と右側の扉８を開けた状態を示す正面図である。
【００１０】
図１と図２に示す冷蔵庫１は、本体（冷蔵庫本体）１Ａを有している。この冷蔵庫１の本体１Ａは、外側側板からなる外箱と、内側側板からなる内箱を有し、その外箱と内箱の間には、断熱材が配置されている断熱性を有するキャビネットにより構成されている。
【００１１】
図１に示すように、本体１Ａには、上から順に冷蔵区画としての冷蔵室２、野菜室３が設けられ、この野菜室３の下には、冷凍区画としての製氷室４と上冷凍室５が左右の並べて設けられ、最下部には冷凍区画としての下冷凍室６が設けられている。
【００１２】
図１に示すように、冷蔵室２の前面には、冷蔵室２の前面開口部を開閉する左右の扉７，８が設けられている。左右の扉７，８は、観音開き式扉であり、左側の扉７の左端部が、図示しないヒンジにより、本体１Ａに対して回動可能に取り付けられている。同様にして、右側の扉８の右端部が、図示しないヒンジにより、本体１Ａに対して回動可能に取り付けられている。野菜室３、製氷室４、上冷凍室５、下冷凍室６の各前面には、各前面開口部を開閉する引出し式の扉９，１０，１１，１２が設けられている。
【００１３】
図２に示すように、冷蔵室２の左側の扉７と右側の扉８を開放すると、冷蔵室２内には、複数の棚板１３，１４と、貯蔵室２０が配置されている。
【００１４】
この貯蔵室２０は、透明または半透明のプラスチック製の容器２０Ｒを有している。貯蔵室２０のチルド用の容器２０Ｒは、冷蔵室２の下部の棚板１４の下に配置されていて、チルド用の容器２０Ｒは棚板１４に格納された状態から引出し式で手前（図２の紙面垂直方向）に引き出すことができる。貯蔵室２０内には、収納物として例えば肉や魚等の生鮮食品や、乳製品や加工食品等を収納して、例えば収納物を急速チルド（急速冷蔵）して保存することができる。
【００１５】
図２に示すように、菌または臭いを感知するための菌または臭いの感知装置２５と、気圧感知装置３０と、光源４０が、例えば貯蔵室２０に配置されている。これらの菌または臭いの感知装置２５と気圧感知装置３０と光源４０は、貯蔵室２０を構成する棚板１４の天井内面１５側に配置されている。
【００１６】
図２に示す菌または臭いの感知装置２５は、貯蔵室２０内の菌または臭いを感知することができる。気圧感知装置３０は、減圧装置としての真空ポンプを作動して、貯蔵室２０内が減圧されて、貯蔵室２０内の気圧が大気圧よりも減圧されたことを感知することができる。
【００１７】
図３は、図２に示す貯蔵室２０と、その周辺部分を示す一部切り欠き部分を有する冷蔵庫１の側面図である。図３では、貯蔵室２０とその周辺部分の構造例が、冷蔵庫１の一部を切り欠くことで示されている。
【００１８】
図３に示すように、光源４０は、例えば貯蔵室２０の後側で、しかも棚板１４の天井内面１５に配置されている。この光源４０の構造例は後で説明する。
【００１９】
本体１Ａの下冷凍室６の背面位置には、機械室２２が設けられており、この機械室２２には、圧縮機２３が配置されている。本体１Ａの背面位置には、野菜室３の後側に、冷蔵用冷気循環ファン３１と、冷蔵室・野菜室用冷却器３２と、送風ダクト３３が配置されている。
【００２０】
この他に、図示しないが、本体１Ａの背面位置には、製氷室４と上冷凍室５と下冷凍室６の後側に、冷凍用冷気循環ファンと、冷凍室用冷却器と、送風ダクトが配置されている。図３に示す冷蔵室・野菜室用冷却器３１と冷凍用冷却器は、圧縮機２３から供給される冷媒によって冷却される。冷蔵室２と野菜室３は、冷蔵用冷気循環ファン３１と、冷蔵室・野菜室用冷却器３２と、送風ダクト３３により、それぞれ所定の設定温度に冷却して保持される。
【００２１】
図３に示すように、脱臭除菌成分発生手段５０が、送風ダクト３３側に配置されている。この脱臭除菌成分発生手段５０は、貯蔵室２０の後側で、冷蔵室・野菜室用冷却器３２と貯蔵室２０との間の位置に配置されている。
【００２２】
脱臭除菌成分発生手段５０は、貯蔵室２０内の環境を変化させる庫内環境変更手段の一例である。
【００２３】
脱臭除菌成分発生手段５０としては、例えば脱臭と除菌の機能を発揮することができる静電霧化装置を採用できる。あるいは、この脱臭除菌成分発生手段５０としては、好ましくは光触媒を備え、この光触媒が、光源４０から可視光を受けると、空気中の細菌と臭い成分を、強力に分解除去する可視光応答型光触媒を用いている。脱臭除菌成分発生手段５０は、庫内の菌の増殖と臭いの移りを抑えることで、貯蔵室２０内で抗菌・脱臭機能を発揮して、庫内を清潔に保つことができる。
【００２４】
図４は、図２と図３に示す光源４０の好ましい構造例を示している。
【００２５】
図４（Ａ）は、光源４０の正面図であり、図４（Ｂ）は、光源４０の断面図である。図４に示すように、光源４０は、例えば基板４０Ａと、この基板４０Ａに間隔をおいて配列された発光素子４１，４２，４３を備える。発光素子４１，４２，４３は、好ましくはＬＥＤ（発光ダイオード）素子を用いており、例えば発光素子４１，４３は白色光を発生し、発光素子４２は青色光を発生する。
【００２６】
ただし、図４に示す光源４０の構造は、一例であり、発光素子の数や発光色は、任意に選択できる。例えば、別の光源４０の例では、図４（Ｃ）に示すように、発光素子４１Ａ，４２Ａ，４３Ａは、好ましくはＬＥＤ（発光ダイオード）素子を用いており、例えば発光素子４１Ａは赤色光（Ｒ）を発生し、発光素子４２Ａは緑色光（Ｇ）を発生し、発光素子４３Ａは青色光（Ｂ）を発生するようにしても良い。
【００２７】
このように、光源４０の発光素子４１，４２，４３（４１Ａ，４２Ａ，４３Ａ）は、異なる色調（発光色）をそれぞれ有していることから、使用者は、光源４０の発光素子４１，４２，４３（４１Ａ，４２Ａ，４３Ａ）の発光の有無により、光源４０の発する色調を変えることで、使用者は、図２と図３に示す貯蔵室２０内に生じる環境の変化を、分かり易く目視で認識できる。また、光源４０の発光素子４１，４２，４３（４１Ａ，４２Ａ，４３Ａ）の発光の順番を設定することで、所定のパターンで行うこともできる。
【００２８】
図５は、図１に示す冷蔵庫１のＮ−Ｎ線における水平断面図である。
【００２９】
図５に示すように、左側の扉７と右側の扉８は開いている状態を示している。左側の扉７の内側には、光源６０が配置され、右側の扉８の内側には、別の光源６１が配置されている。これらの光源６０，６１は、発光素子として例えばＬＥＤを用いているが、特に限定されない。光源６０，６１としては、例えば図４に示すような光源４０と同じ構造を採用することができる。
【００３０】
図５に例示するように、左側の扉７と右側の扉８が開くと、光源６０が照明光Ｌ１を発生するとともに、光源６１が照明光Ｌ２を発生する。これらの照明光Ｌ１，Ｌ２は、ともに本体１Ａ内の貯蔵室２０を照射するようになっている。
【００３１】
店頭に冷蔵庫１が展示で置かれた状態では、冷蔵庫１は、販売促進のために、顧客に対して、冷蔵庫１は店頭展示モードで動作させることができる。この冷蔵庫１の店頭展示モードによる店頭展示動作の際には、図５に示すように、左右の扉７，８を開けると、光源６０，６１が発生する照明光Ｌ１、Ｌ２は、貯蔵室２０を照明する。この際、光源６０，６１の色調、または点灯パターンが、切り替えられるようになっている。
【００３２】
図６は、図１に示す冷蔵庫１の制御部１００と、この制御部１００に接続された電気的な構成要素の接続例を示しているブロック図である。
【００３３】
図６に示す制御部１００は、好ましくは図１に示す本体１Ａに配置されている。制御部１００は、冷蔵用冷気循環ファン３１（以下、ファン３１という）と、光源４０と、左側の扉７の照明用の光源６０と右側の扉８の照明用の光源６１と、菌または臭いの感知装置２５と、気圧感知装置３０と、色調指定部（指定部）７０と、色調切替有無指定部（切替有無指定部）８０と、減圧装置としての真空ポンプ７７に電気的に接続されている。光源４０と左側の扉７の照明用の光源６０と右側の扉８の照明用の光源６１は、点灯することで、貯蔵部２０を照明することができる。
【００３４】
店頭に冷蔵庫１が置かれた状態で動作する店頭展示モードの際に、例えば、庫内環境変更手段である脱臭除菌成分発生手段５０が脱臭と除菌の機能を発揮した場合や、庫内環境変更手段である減圧装置としての真空ポンプ７７が図２に示す貯蔵室２０内を減圧して、貯蔵室２０内の気圧が大気圧よりも下回った場合には、貯蔵室２０内の環境を変化させる動作しているときである。このような店頭に冷蔵庫１が置かれた状態で動作する店頭展示モードの際には、制御部１００は、模擬で、光源４０の発光素子４１，４２，４３は、制御部１００の指令により、模擬で光の色調、または点灯パターンを切り替えることができる。
【００３５】
また、真空ポンプ７７が図２に示す貯蔵室２０内を減圧する際に、野菜室３の引出し容器の蓋には、好ましくは蓋開閉センサが設けられていて、蓋が開いてこの蓋開閉センサがオンされたときには、光源４０の発光素子４１，４２，４３は、制御部１００の指令により、光の色調、または点灯パターンを切り替えることができるようにしても良い。そして、蓋が閉じると、この蓋開閉センサがオフになり、発光素子４１，４２，４３は、元の状態に戻るようになっている。
【００３６】
あるいは、別の例としては、店頭に冷蔵庫１が置かれた状態で動作する店頭展示モードではなく、使用者が、台所で冷蔵庫１を使用する場合に、脱臭除菌成分発生手段５０が脱臭と除菌の機能を発揮した場合や、減圧装置である真空ポンプ７７が図２に示す貯蔵室２０内を減圧して、貯蔵室２０内の気圧が大気圧よりも下回った場合には、図４に示す光源４０の発光素子４１，４２，４３は、制御部１００の指令により、光の色調、または点灯パターンを切り替えることができる。すなわち、制御部１００は、発光素子４１，４２，４３の１つまたは複数を選択的に点灯させることで光の色調を変えたり、発光素子４１，４２，４３の１つまたは複数の点灯するタイミングを変えることで、所定のパターンで点灯できる。
【００３７】
また、図６に示す光源４０と、左側の扉７の照明用の光源６０と右側の扉８の照明用の光源６１は、制御部１００の指令により、店頭に冷蔵庫１が展示で置かれた状態では、冷蔵庫１は、販売促進のために、顧客に対して、店頭展示モードで動作させることができる。
【００３８】
この冷蔵庫１の店頭展示モードによる店頭展示動作の際には、制御部１００は、光源４０のＬＥＤ４０，４１，４２の１つまたは複数を選択的に点灯させることで光の色調を変えたり、あるいはＬＥＤ４０，４１，４２の点灯パターンを変えることができる。また、光源６０，６１を点灯するタイミングを変えることで、所定の点灯パターンで点灯ができる。左右の扉７，８の光源６０，６１の種類としては、発光素子としてＬＥＤやそれ以外の構造のものを使用できる。
【００３９】
図６に示す菌または臭いの感知装置２５は、上述したように、貯蔵室２０内の菌または臭いを感知して、貯蔵室２０内の菌または臭いが、予め定めた基準値以下の際には、感知装置２５は感知信号Ｒを制御部１００に送る。これにより、制御部１００は、光源４０の色調、または点灯パターンを切り替えることができる。
【００４０】
また、図６に示す減圧装置としての真空ポンプ７７は、制御部１００の指令により、冷蔵室２と貯蔵室２０内は、減圧環境にすることができる。気圧感知装置３０は、上述したように、貯蔵室２０内が減圧装置により減圧されて、冷蔵室２と貯蔵室２０内の気圧が大気圧よりも減圧されたことを感知すると、気圧感知装置３０は感知信号Ｇを制御部１００に送る。これにより、制御部１００は、光源４０の色調、または点灯パターンを切り替えることができる。
【００４１】
冷蔵庫１を店頭に展示した状態で、顧客に対して機能を分かり易くアピールするために、図６に示す制御部１００は、光源４０と光源６０，６１は、店頭展示モードで動作させることができる。
【００４２】
この店頭展示モードでは、色調指定部７０では、使用者（店頭展示担当者）が押して指定することで、制御部１００に対して、光源４０の色調を任意に指定することができる。これにより、使用者は、光源４０の色調を、顧客自身と使用者（店頭展示担当者）が認識し易い色調にすることで、認識効果が向上する。
【００４３】
また、光源４０の色調を切り替える必要性があるかどうかを、店頭展示モードでは、使用者が色調切替有無指定部８０を押して指定することで、制御部１００に対して、光源４０の色調を切り替える必要性の有無を指定可能である。これにより、顧客や使用者（店頭展示担当者）が、光源４０の色調の切り替えが煩わしいと感じる場合には、色調切替有無指定部８０は、制御部１００に対して、光源４０の色調の切り替え動作を停止（禁止）させることができる。
【００４４】
次に、上述した冷蔵庫１の動作例を説明する。
【００４５】
＜冷蔵庫１を店頭で展示する際に行う店頭展示モードでの動作例＞
図７は、冷蔵庫１が店頭に展示で置かれた状態で、販売促進のために、使用者（店頭展示担当者）が、顧客に対する冷蔵庫１の特徴をアピールする際に、冷蔵庫１を店頭展示モードで動作させる例を示すフロー図である。
【００４６】
図７に示すフロー図を参照して説明する店頭展示モード例では、この店頭に置かれた冷蔵庫１の制御部１００が、例えば貯蔵室２０内の環境を変化させる庫内環境変更手段としての例えば、貯蔵室２０のファン３１の回転と停止動作を行うことで「急速チルド」のデモンストレーション演出を行うことができる。この「急速チルド」のデモンストレーション演出を行うのは、貯蔵室２０内の環境を変化させる動作している一例であるので、制御部１００は、模擬で光源４０の光の色調、または点灯パターンを切り替えることができる。
【００４７】
図７に示すステップＳ１からステップＳ４までは、貯蔵室２０内を「急速チルド」のデモンストレーション演出例を示している。この「急速チルド」とは、速鮮チルドともいい、食品を凍らせないマイナス冷気をパワフルに送り込んで冷却し、凍結や乾燥から守りながら食品を素早く冷やして、鮮度を保つモードである。
【００４８】
図７に示すステップＳ１からＳ４のように、貯蔵室２０内を急速チルドする際にファン３１を最大で回転する動作とファン３１の回転を停止する動作は、貯蔵室２０内の環境を変化させる庫内環境変更手段に相当する。
【００４９】
「急速チルド」のデモンストレーション演出例におけるステップＳ１では、顧客が、図２に示すように、店頭展示されている冷蔵庫１の左側の扉７と右側の扉８の少なくとも一方を開けると、図６に示す制御部１００は、貯蔵室２０と冷蔵室２のために、ファン３１を所定時間だけ最大で回転させる。このファン３１を最大で回転させる所定時間の範囲は、例えば３秒乃至１１秒であり、一例としては１１秒である。この際には、図６の光源４０の発光素子４１，４３が白色発光して、白色照明点灯しているが、発光素子４２は青色発光して、青色照明点滅する。青色発光の発光素子４２は、例えば１秒点灯した後、１秒消灯する動作を、繰り返す。
【００５０】
次に、ステップＳ１に続きステップＳ２では、図６に示す制御部１００は、ファン３１の回転を停止させる。このファン３１を停止させる所定時間の範囲は、例えば２秒乃至５秒であり、一例としては５秒である。この際には、図６の光源４０の発光素子４１，４３が白色発光して、白色照明点灯し、発光素子４２は青色発光して、青色照明点灯する。
【００５１】
次に、ステップＳ３では、再び図６に示す制御部１００は、貯蔵室２０と冷蔵室２のために、再びファン３１を最大で所定時間回転させる。このファン３１を最大で回転させる所定時間の範囲は、例えば３秒乃至１１秒であり、一例としては１１秒である。この際には、図６の光源４０の発光素子４１，４３が白色発光して、白色照明点灯しているが、発光素子４２は青色発光して、青色照明点滅する。青色照明の発光素子４２は、例えば１秒点灯した後、１秒消灯する動作を、繰り返す。
【００５２】
次に、ステップＳ４では、図６に示す制御部１００は、ファン３１の回転を再び停止させる。このファン３１を停止させる所定時間の範囲は、例えば２秒乃至５秒であり、一例としては５秒である。この際には、図６の光源４０の発光素子４１，４３が白色発光して、白色照明点灯し、発光素子４２は青色発光して、青色照明点灯する。
【００５３】
次に、図７に示すステップＳ５からステップＳ８は、扉７，８の光源６０，６１による貯蔵部２０に対するフロントブライト照明のデモンストレーション演出例を示している。図５に示すように、左右の扉７，８が開いた状態で、図６に示す制御部１００が、扉照明である光源６０，６１の照明光Ｌ１、Ｌ２を、所定のパターンで点滅させる。これにより、貯蔵室２０を前側から、フロントブライト照明をして、冷蔵庫１を見に来た顧客に対するデモンストレーション演出の効果をさらに上げることができる。
【００５４】
図７のステップＳ５では、図６に示す制御部１００は、光源６０，６１が例えば２秒間消灯し、ステップＳ６では、光源６０，６１が例えば５秒間点灯する。そして、ステップＳ７では、制御部１００は、光源６０，６１が再び例えば２秒間消灯し、ステップＳ８では、光源６０，６１が再び例えば５秒間点灯する。
【００５５】
以上説明したようにして、図５に示す扉照明である光源６０，６１が発生する照明光Ｌ１、Ｌ２を用いて、貯蔵室２０を前側から、所定のパターンで点滅することで貯蔵室２０のためのフロントブライト照明をするデモンストレーション演出が終了して、顧客が左右の扉７，８を閉じると、制御部１００は、光源４０と光源６０，６１を消灯する。
【００５６】
また、ステップＳ１からステップＳ８のデモンストレーション演出を実行している際に、顧客がデモンストレーション演出の途中で、左右の扉７，８を閉じてしまうと、制御部１００は、このデモンストレーション演出を停止して、光源４０，６０，６１は消灯する。
【００５７】
また、顧客が最初に、左右の扉７，８の少なくとも一方を開けても、制御部１００は、デモンストレーション演出を、必ず最初のステップＳ１から必ず開始させる。さらに、顧客がデモンストレーション演出の途中で、左右の扉７，８を閉じた後、再び顧客が左右の扉７，８の少なくとも一方を開けた場合には、制御部１００は、デモンストレーション演出を、必ず最初のステップＳ１から必ず開始させる。
【００５８】
上述したステップＳ１からステップＳ８のデモンストレーション演出が終了すると、冷蔵庫１は通常の動作に移る。
【００５９】
ところで、図６に示す光源４０は、複数の色調、白色を発光する発光素子４１，４３と、青色を発光する発光素子４２を有し、使用者（店頭展示担当者）が、図６に示す色調指定部７０を用いて、制御部１００に対して、光源４０の色調を指定可能である。これにより、光源の色調を、顧客や使用者（店頭展示担当者）が認識し易い色に選択することで、デモンストレーション演出の効果をあげることができる。
【００６０】
また、光源の色調を切り替える必要性があるかどうかを、使用者（店頭展示担当者）が図６に示す色調切替有無指定部８０を用いて、制御部１００に対して、指定可能である。これにより、光源４０の発光素子４１，４２，４３の色調の切り替え操作が煩わしいと感じる顧客や使用者（店頭展示担当者）は、色の切り替え動作が生じないように、制御部１００に対して、色の切り替え操作を停止させることができる。
【００６１】
店頭に冷蔵庫が置かれた状態で動作する店頭展示モードの際には、光源４０の色調、または点灯パターンと、光源６０，６１の点灯パターンが、制御部１００により切り替えられる。これにより、顧客が左右の扉７，８のいずれか一方を開けた際に、顧客は、店頭表示モードでデモンストレーション演出されていることが分かり、かつ光源４０の照明の色調、または点灯パターンが切り替わったり、光源６０，６１の点灯パターンが切り替わると、切り替わった照射箇所である貯蔵室２０に対して、顧客の注目を引くことができるメリットがある。
【００６２】
また、例えば店頭に図１の冷蔵庫１が置かれた状態で動作する店頭展示モードの際に、庫内環境変更手段である脱臭除菌成分発生手段５０が脱臭と除菌の機能を発揮した場合や、庫内環境変更手段である減圧装置としての真空ポンプ７７が図２に示す貯蔵室２０内を減圧して、貯蔵室２０内の気圧が大気圧よりも下回った場合には、貯蔵室２０内の環境を変化させる動作しているときである。このため、冷蔵庫１が置かれた状態で動作する店頭展示モードの際には、制御部１００は、模擬で光源４０の発光素子４１，４２，４３は、制御部１００の指令により、光の色調、または点灯パターンを切り替えることができる。
【００６３】
＜使用者が、冷蔵庫１を実際に使用する場合の動作例＞
次に、冷蔵庫１が店頭に置かれた店頭展示モードではないが、使用者が、冷蔵庫１を実際に使用する場合について、一応簡単に説明する。
【００６４】
冷蔵庫１を実際に使用する場合には、図３に示す庫内環境変更手段である脱臭除菌成分発生手段５０が、脱臭と除菌の機能を発揮すると、空気中の細菌と臭い成分を、強力に分解除去する。貯蔵室２０内の菌または臭いの感知装置２５は、貯蔵室２０内の菌または臭いが予め定めた基準値以下の際には、図６に示す制御部１００に感知信号Ｒを送り、制御部１００は、光源４０の色調、または点灯パターンを切り替える。これにより、使用者は、光源４０の色調、または点灯パターンが切り替わることで、脱臭除菌成分発生手段５０の除菌脱臭の動作と効果を、分かり易く視覚により認識することができる。
【００６５】
光源４０の色調の切り替えとは、例えば発光素子４１，４３の白色の発光を発光素子４２の青色の発光に替えたり、発光素子４２の青色の発光を発光素子４１，４３の白色の発光に替えることである。また、光源４０の点灯パターンの切り替えとは、例えば発光素子４１，４２，４３の点灯順番を変えたり、点灯する数を変えることである。
【００６６】
これにより、脱臭除菌成分発生手段５０は、貯蔵室２０の庫内の菌の増殖と臭いの移りを抑えることで、貯蔵室２０内で抗菌・脱臭機能を発揮して、庫内を清潔に保つことができる。
【００６７】
使用者が左側の扉７と右側の扉８の少なくとも一方を開けたときに、抗菌・脱臭機能を点灯表示するために、光源４０では、好ましくは青色光を発生する発光素子４２が青色光を発生することが最も好ましく、使用者は抗菌脱臭機能を、青色光を目視することで認識できる。
【００６８】
また、図６に示す真空ポンプ７７が作動して、気圧感知装置３０が貯蔵室２０内において大気圧よりも減圧された場合について説明する。貯蔵室２０内の気圧が大気圧よりも減圧された場合には、減圧装置である真空ポンプ７７が貯蔵室２０内の環境を変化させる動作をしている。この場合には、図６の気圧感知装置３０が、感知信号Ｇを制御部１００に送るので、制御部１００は、光源４０の発光素子４１，４２，４３の１つまたは複数を選択することで、光源４０の光の色調、または点灯パターンを切り替える。
【００６９】
これにより、使用者が左側の扉７と右側の扉８の少なくとも一方を開けたときに、貯蔵室２０内が大気圧よりも減圧しているかどうかは、光源４０の光の色調、または点灯パターンが切り替わることで視覚的に認識できる。減圧動作を点灯表示するために、例えば、光源４０では、例えば好ましくは白光を発生する発光素子４１，４３が、白色光を発生することで、使用者は減圧機能を、分かり易く目視で認識することができる。
【００７０】
図６に示すように、光源４０は複数の発光素子４１，４２，４３を有しているが、複数の発光素子４１，４２，４３は、制御部１００により貯蔵室２０内の環境を変化させる動作に応じて、異なるパターンで点灯することもできる。すなわち、脱臭除菌成分発生手段５０が貯蔵室２０内の環境を変化させる動作である抗菌・脱臭機能を発揮している場合と、貯蔵室２０内の環境を変化させる動作である真空ポンプ７７による貯蔵室２０内の減圧の場合では、発光素子４１，４２，４３は、異なるパターンで点灯することができる。例えば、発光素子４１，４２，４３が異なるパターンで点灯する要領としては、発光素子４１，４２，４３を、予め定めた順番に点灯して、この順番に点灯する動作を繰り返す等である。これにより、使用者は、貯蔵室２０における環境の変化の種類を、光源４０の発光素子４１，４２，４３の点灯パターンの違いで、分かり易く目視で認識することができる。
【００７１】
なお、図３に示す冷気を送るファン３１は、貯蔵室２０内を「急速チルド」モードにする場合には、制御部１００は、ファン３１を通常よりも高回転させることで、急速冷蔵状態にする。
【００７２】
図３に示すチルド用の容器２０Ｒを引き出すときには、図示しない開閉スイッチがオンになると、図６に示す制御部１００は、光源４０の青色の発光素子４２を青色で点滅させることで、使用者に対して演出ができる。
【００７３】
上述したように、本発明の実施形態の冷蔵庫１は、貯蔵室２０を有する本体１Ａと、貯蔵室２０に配置されて光を照射する光源４０と、店頭に冷蔵庫１が置かれた状態で動作する店頭展示モードの際には、例えば貯蔵室２０内の環境を変化させる庫内環境変更手段としての例えば、貯蔵室２０のファン３１の回転と停止動作を行うことで貯蔵室２０内の環境を変化させる動作しているときに、模擬で光源４０の光の色調、または点灯パターンを切り替える制御部１００を備える。
【００７４】
これにより、使用者は、店頭に冷蔵庫１が置かれた状態で動作する店頭展示モードの際には、光源４０の光の色調、または点灯パターンを切り替えることで、例えば貯蔵室２０内の環境を変化させる庫内環境変更手段としての例えば、貯蔵室２０のファン３１の回転と停止動作を模擬的に明示できるので、顧客は、その庫内環境変更の動作を分かり易くして視覚的に確実に認識することができる。
【００７５】
このため、冷蔵庫１を店頭展示して、顧客に対する冷蔵庫１の特徴をアピールする際に、その庫内環境変更の動作を、模擬的に光源４０の光の色調、または点灯パターンを切り替えることで、顧客に対して、分かり易く視覚的に明示して、確実に認識させることができる。
【００７６】
店頭モードでは、冷蔵庫１の例えば「急速チルド」等の機能を実際には駆動することなく、光源４０の発光のみで顧客に対して、模擬的に表示してお知らせることができる。また、必要に応じて、冷蔵庫1を購入した顧客（ユーザ）は、冷蔵庫１にはいろいろ機能が付いていたはずだけど、実際にその機能が作動しているのかどうか知りたいと思う可能性があるので、扉を開けたら、光源４０が、例えば「急速チルド」をしている、というような発光を行い、顧客を納得させると共に、作動中なので開けない方がいいと、顧客に注意喚起的なことを行うこともできる。
【００７７】
ところで、デモンストレーション演出では、例えば店に陳列する際に、操作部において特定の操作をしたことで、その特定の操作指令が図６の制御部１００に通知されたときには、冷蔵庫１は、制御部１００により、デモンストレーションモードに設定される。このデモンストレーションモードがＯＮされたときに、扉開閉センサによって扉の開放が検知された場合には、通常の「急速チルド」で動作する機能の中で、図３の圧縮機２３の動作をオフにして、冷媒が回らないようにするとともに、特定の機能であるファンの動作だけをＯＮするとともに、光源４０を追加してＯＮをすることでデモンストレーションモードとし、デモンストレーションとして不要な特定機能以外の圧縮機の動作をオフすることで省エネにしている。
【００７８】
また、デモンストレーションモードの場合における図６のファン３１の回転数は、通常時の「急速チルド」モードにおけるファンの回転数と同じか、通常時の「急速チルド」モードにおけるファンの回転数を超える設定である。
また真空ポンプ７７が図２に示す貯蔵室２０内を減圧する減圧モードの場合では、通常の減圧モードでは、真空ポンプオンしているときは、光源ＯＦＦ、圧縮機の動作オン、ファンＯＮしているが、デモンストレーションモードがオンされている場合は、真空ポンプをオンして特定機能だけオンするとともに、光源オンすることで視認性を高め、特定機能でないファンと圧縮機は動作をオフするようにしている。
【００７９】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８０】
図１に示す冷蔵庫１の構造は、一例であり、任意の構造を採用することができる。例えば、冷蔵庫１の冷蔵室２の扉は、片側開き式の扉であっても良い。
【符号の説明】
【００８１】
１      冷蔵庫
１Ａ    本体（冷蔵庫本体）
７      左側の扉
８      右側の扉
２０    貯蔵室
２５    菌または臭いの感知装置
３０    気圧感知装置
３１    ファン
４０    光源
４１，４２，４３  光源の発光素子
５０    脱臭除菌成分発生手段（抗菌・脱臭装置、庫内環境変更手段の例）
６０    左側の扉の光源
６１    右側の扉の光源
７０    色調指定部（指定部）
７７    真空ポンプ（減圧装置、庫内環境変更手段の例）
８０    色調切替有無指定部（切替有無指定部）
１００  制御部
【図１】
0006719263.tif 000002
【図２】
0006719263.tif 000003
【図３】
0006719263.tif 000004
【図４】
0006719263.tif 000005
【図５】
0006719263.tif 000006
【図６】
0006719263.tif 000007
【図７】
0006719263.tif 000008